【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
モータと、前記モータからの駆動力の伝達を受けるための装置本体の回転体と、前記装置本体の回転体の回転中心に設けられた、前記装置本体の回転体と一体に回転する断面が多角形の穴と、を有して、記録媒体に画像を形成する電子写真画像形成装置の装置本体に着脱可能なプロセスカートリッジであって、
電子写真感光体ドラムと、
前記電子写真感光体ドラムに作用するプロセス手段と、
前記電子写真感光体ドラムの長手方向の一端に設けられた、前記多角形の穴と嵌合する多角形の突起と、
を有して、
プロセスカートリッジが装置本体に装着された際に、前記多角柱の突起と前記多角形の穴とが嵌合した後に前記多角形の穴が回転すると、前記穴と前記突起とが相対的に引き込んで、前記多角形の突起の先端面部分が前記多角形の穴の底面部分と接触した状態で前記回転体の回転力が前記電子写真感光体ドラムに伝達されて、前記プロセスカートリッジの前記電子写真感光体ドラムの長手方向の前記装置本体に対する位置決めがなされることを特徴とするプロセスカートリッジ。
【請求項２】
前記多角形の突起としての多角柱はねじれており、また、前記多角形の穴もねじれていることを特徴とする請求項１に記載のプロセスカートリッジ。
【請求項３】
前記多角柱はねじれた略三角柱であり、また、前記多角形の穴はねじれた略三角形の穴であることを特徴とする請求項１または２に記載のプロセスカートリッジ。
【請求項４】
前記多角柱の突起と前記多角形の穴とが嵌合し後に前記装置本体の回転体が回転すると、前記突起が前記穴に引き込まれて、前記多角柱の突起の先端面部分が前記多角形の底面部分と接触することを特徴とする請求項１から３のいずれか１つに記載のプロセスカートリッジ。
【請求項５】
モータと、前記モータからの駆動力の伝達を受けるための装置本体の回転体と、前記装置本体の回転体の回転中心に設けられた、前記装置本体の回転体と一体に回転する断面が多角柱の突起と、を有して、記録媒体に画像を形成する電子写真画像形成装置の装置本体に着脱可能なプロセスカートリッジであって、
電子写真感光体ドラムと、
前記電子写真感光体ドラムに作用するプロセス手段と、
前記電子写真感光体ドラムの長手方向の一端に設けられた、前記多角柱の突起と嵌合する多角形の穴と、
を有して、
プロセスカートリッジが装置本体に装着された際に、前記多角柱の突起と前記多角形の穴とが嵌合した後に前記多角形の突起が回転すると、前記穴と前記突起とが相対的に引き込んで、前記多角形の突起の先端面部分が前記多角形の穴の底面部分と接触した状態で前記回転体の回転力が前記電子写真感光体ドラムに伝達されて、前記プロセスカートリッジの前記電子写真感光体ドラムの長手方向の前記装置本体に対する位置決めがなされることを特徴とするプロセスカートリッジ。
【請求項６】
前記多角柱の突起はねじれており、また、前記多角形の穴もねじれていることを特徴とする請求項５に記載のプロセスカートリッジ。
【請求項７】
前記多角柱はねじれた略三角柱であり、また、前記多角形の穴はねじれた略三角形の穴であることを特徴とする請求項５または６に記載のプロセスカートリッジ。
【請求項８】
前記多角柱の突起と前記多角形の穴とが嵌合した後に前記装置本体の回転体が回転すると、前記穴が前記突起に引き込まれて、前記多角柱の突起の先端面部分が前記多角形の底面部分と接触することを特徴とする請求項５から７のいずれか１つに記載のプロセスカートリッジ。
【請求項９】
前記多角形の突起はねじれていない板状部材であって、また、前記多角形の穴はねじれており、前記板状部材の突起と前記多角形の穴とが嵌合した後に前記装置本体の回転体が回転すると、前記突起と前記穴とが相対的に引き込まれて、前記多角柱の突起の先端面部分が前記多角形の穴の底面部分と接触して、前記プロセスカートリッジの前記電子写真感光体ドラムの長手方向の前記装置本体に対する位置決めがなされることを特徴とする請求項１に記載のプロセスカートリッジ。
【請求項１０】
前記板状部材は略三角形状である請求項９に記載のプロセスカートリッジ。
【請求項１１】
プロセスカートリッジを着脱可能で、記録媒体に画像を形成するための電子写真画像形成装置において、
ａ、モータと、
ｂ、前記モータからの駆動力の伝達を受けるための装置本体の回転体と、
ｃ、前記装置本体の回転体の回転中心に設けられた、前記装置本体の回転体と一体に回転する断面が多角形の穴と、
ｄ、電子写真感光体ドラムと、
前記電子写真感光体ドラムに作用するプロセス手段と、
前記電子写真感光体ドラムの長手方向の一端に設けられた、前記多角形の穴と嵌合する多角形の突起と、
を有するプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、
を有して、
前記プロセスカートリッジが装置本体に装着された際に、前記多角柱の突起と前記多角形の穴とが嵌合した後に前記多角形の穴が回転すると、前記穴と前記突起とが相対的に引き込んで、前記多角形の突起の先端面部分が前記多角形の穴の底面部分と接触して、前記プロセスカートリッジの前記電子写真感光体ドラムの長手方向の前記装置本体に対する位置決めがなされるように構成されたことを特徴とする電子写真画像形成装置。
【請求項１２】
前記移動手段は、前記装置本体に取り付けられており前記装置本体に対して開閉可能な開閉部材を有しており、前記開閉部材が閉じられるのに連動して、前記多角形の穴が移動することによって、前記穴は前記多角柱の突起と嵌合可能な状態となることを特徴とする請求項１１に記載の電子写真画像形成装置。
【請求項１３】
前記多角形の突起としての多角柱はねじれており、また、前記多角形の穴もねじれていることを特徴とする請求項１１または１２に記載の電子写真画像形成装置。
【請求項１４】
前記多角柱はねじれた略三角柱であり、また、前記多角形の穴はねじれた略三角形の穴であることを特徴とする請求項１１、または１３に記載の電子写真画像形成装置。
【請求項１５】
前記多角柱の突起と前記多角形の穴とが嵌合した後に前記装置本体の回転体が回転すると、前記突起が前記穴に引き込まれることを特徴とする請求項１３または１４に記載の電子写真画像形成装置。
【請求項１６】
プロセスカートリッジを着脱可能で、記録媒体に画像を形成するための電子写真画像形成装置において、
ａ、モータと、
ｂ、前記モータからの駆動力の伝達を受けるための装置本体の回転体と、
ｃ、前記装置本体の回転体の回転中心に設けられた、前記装置本体の回転体と一体に回転する多角柱の突起と、
ｄ、電子写真感光体ドラムと、
前記電子写真感光体ドラムに作用するプロセス手段と、
前記電子写真感光体ドラムの長手方向の一端に設けられた、前記多角柱の突起と嵌合する多角形の穴と、
を有するプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、
を有して、
前記プロセスカートリッジが装置本体に装着された際に、前記多角柱の突起と前記多角形の穴とが嵌合した後に前記多角形の穴が回転すると、前記穴と前記突起とが相対的に引き込んで、前記多角柱の突起の先端面部分が前記多角形の穴の底面部分と接触して、前記プロセスカートリッジの前記電子写真感光体ドラムの長手方向の前記装置本体に対する位置決めがなされるように構成されたことを特徴とする電子写真画像形成装置。
【請求項１７】
前記移動手段は、前記装置本体に取り付けられており前記装置本体に対して開閉可能な開閉部材を有しており、前記開閉部材が閉じられるのに連動して、前記多角柱の突起が移動することによって、前記多角柱の突起と前記多角形の穴は嵌合することを特徴とする請求項１６に記載の電子写真画像形成装置。
【請求項１８】
前記多角柱の突起はねじれており、また、前記多角形の穴もねじれていることを特徴とする請求項１６または１７に記載の電子写真画像形成装置。
【請求項１９】
前記多角柱はねじれた略三角柱であり、また、前記多角形の穴はねじれた略三角形の穴であることを特徴とする請求項１６または１８に記載の電子写真画像形成装置。
【請求項２０】
前記多角柱の突起と前記多角形の穴とが嵌合した後に前記装置本体の回転体が回転すると、前記穴が前記突起に引き込まれることを特徴とする請求項１８または１９に記載の電子写真画像形成装置。
【請求項２１】
前記回転体とは回転軸を中心に有するギアである請求項１１から１３の何れか１つ、又は、１６から１８の何れか１つに記載の電子写真画像形成装置。
【請求項２２】
前記回転体とは回転軸を中心に有するタイミングプーリである請求項１１から１３の何れか１つ、又は、１６から１８の何れか１つに記載の電子写真画像形成装置。
【請求項２３】
前記回転体とは回転軸を中心に有するチェンホイルである請求項１１から１３の何れか１つ、又は、１６から１８の何れか１つに記載の電子写真画像形成装置。
【請求項２４】
前記ギアは回転により前記穴が前記多角柱の方向へ推力を生ずるねじれ方向を有するはす歯ギアである請求項２１に記載の画像形成装置。
【請求項２５】
前記ギアと前記回転軸は一体である請求項２１または２４に記載の電子写真画像形成装置。
【請求項２６】
前記回転軸は前記ギアに対して軸方向移動自在で回転方向にはギアと一体に回転するように嵌合している請求項２１又は２４に記載の電子写真画像形成装置。
【手続補正２】
【補正対象書類名】明細書
【補正対象項目名】０００６
【補正方法】変更
【補正の内容】
【０００６】
【課題を解決するための手段】
本出願に係る第１の発明はモータと、前記モータからの駆動力の伝達を受けるための装置本体の回転体と、前記装置本体の回転体の回転中心に設けられた、前記装置本体の回転体と一体に回転する断面が多角形の穴と、を有して、記録媒体に画像を形成する電子写真画像形成装置の装置本体に着脱可能なプロセスカートリッジであって、電子写真感光体ドラムと、前記電子写真感光体ドラムに作用するプロセス手段と、前記電子写真感光体ドラムの長手方向の一端に設けられた、前記多角形の穴と嵌合する多角形の突起と、を有して、プロセスカートリッジが装置本体に装着された際に、前記多角柱の突起と前記多角形の穴とが嵌合した後に前記多角形の穴が回転すると、前記穴と前記突起とが相対的に引き込んで、前記多角形の突起の先端面部分が前記多角形の穴の底面部分と接触した状態で前記回転体の回転力が前記電子写真感光体ドラムに伝達されて、前記プロセスカートリッジの前記電子写真感光体ドラムの長手方向の前記装置本体に対する位置決めがなされることを特徴とするプロセスカートリッジである。
【手続補正３】
【補正対象書類名】明細書
【補正対象項目名】０００７
【補正方法】変更
【補正の内容】
【０００７】
本出願に係る第５の発明はモータと、前記モータからの駆動力の伝達を受けるための装置本体の回転体と、前記装置本体の回転体の回転中心に設けられた、前記装置本体の回転体と一体に回転する断面が多角柱の突起と、を有して、記録媒体に画像を形成する電子写真画像形成装置の装置本体に着脱可能なプロセスカートリッジであって、電子写真感光体ドラムと、前記電子写真感光体ドラムに作用するプロセス手段と、前記電子写真感光体ドラムの長手方向の一端に設けられた、前記多角柱の突起と嵌合する多角形の穴と、を有して、プロセスカートリッジが装置本体に装着された際に、前記多角柱の突起と前記多角形の穴とが嵌合した後に前記多角形の突起が回転すると、前記穴と前記突起とが相対的に引き込んで、前記多角形の突起の先端面部分が前記多角形の穴の底面部分と接触した状態で前記回転体の回転力が前記電子写真感光体ドラムに伝達されて、前記プロセスカートリッジの前記電子写真感光体ドラムの長手方向の前記装置本体に対する位置決めがなされることを特徴とするプロセスカートリッジである。
【手続補正４】
【補正対象書類名】明細書
【補正対象項目名】０００８
【補正方法】変更
【補正の内容】
【０００８】
本出願に係る第１１の発明はプロセスカートリッジを着脱可能で、記録媒体に画像を形成するための電子写真画像形成装置において、
ａ、モータと、
ｂ、前記モータからの駆動力の伝達を受けるための装置本体の回転体と、
ｃ、前記装置本体の回転体の回転中心に設けられた、前記装置本体の回転体と一体に回転する断面が多角形の穴と、
ｄ、電子写真感光体ドラムと、前記電子写真感光体ドラムに作用するプロセス手段と、前記電子写真感光体ドラムの長手方向の一端に設けられた、前記多角形の穴と嵌合する多角形の突起と、を有するプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、を有して、前記プロセスカートリッジが装置本体に装着された際に、前記多角柱の突起と前記多角形の穴とが嵌合した後に前記多角形の穴が回転すると、前記穴と前記突起とが相対的に引き込んで、前記多角形の突起の先端面部分が前記多角形の穴の底面部分と接触して、前記プロセスカートリッジの前記電子写真感光体ドラムの長手方向の前記装置本体に対する位置決めがなされるように構成されたことを特徴とする電子写真画像形成装置である。
【手続補正５】
【補正対象書類名】明細書
【補正対象項目名】０００９
【補正方法】変更
【補正の内容】
【０００９】
本出願に係る第１６の発明はプロセスカートリッジを着脱可能で、記録媒体に画像を形成するための電子写真画像形成装置において、
ａ、モータと、
ｂ、前記モータからの駆動力の伝達を受けるための装置本体の回転体と、
ｃ、前記装置本体の回転体の回転中心に設けられた、前記装置本体の回転体と一体に回転する多角柱の突起と、
ｄ、電子写真感光体ドラムと、前記電子写真感光体ドラムに作用するプロセス手段と、前記電子写真感光体ドラムの長手方向の一端に設けられた、前記多角柱の突起と嵌合する多角形の穴と、を有するプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、を有して、前記プロセスカートリッジが装置本体に装着された際に、前記多角柱の突起と前記多角形の穴とが嵌合した後に前記多角形の穴が回転すると、前記穴と前記突起とが相対的に引き込んで、前記多角柱の突起の先端面部分が前記多角形の穴の底面部分と接触して、前記プロセスカートリッジの前記電子写真感光体ドラムの長手方向の前記装置本体に対する位置決めがなされるように構成されたことを特徴とする電子写真画像形成装置である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】０２３７
【補正方法】削除
【補正の内容】
【手続補正４３】
【補正対象書類名】明細書
【補正対象項目名】０２３８
【補正方法】変更
【補正の内容】
【０２３８】
図４１はクリーニング枠体１３に対して感光体ドラム７は長手方向へ移動しないように支持されており、クリーニング枠体１３はガイド部材１６間で長手方向に移動可能である。この場合、軸継手が連結されるとカップリング凸軸３７はカップリング凹軸３９ｂの方へ引かれて凸部端面３７ａ１は凹部底面３９ａ１に当接し、感光体ドラム７の軸方向位置が決まる。
【手続補正４４】
【補正対象書類名】明細書
【補正対象項目名】０２４２
【補正方法】変更
【補正の内容】
【０２４２】
図４２はカップリング凹軸３９ｂにつば３９ｂ１を一体に設け、つば３９ｂ１を境にして前部を外カム６３に回転自在に嵌合すると共に側板６６に対して軸方向に移動自在で且つ回転自在に支持される円筒軸部３９ｂ２とし、後部をスプライン軸３９ｂ２とし、このスプライン軸３９ｂ２を大ギア４３の中心の穴スプラインに移動自在に嵌合してある。大ギア４３はボス４３ｂを有し、このボス４３ｂ外周をジャーナルとして側板６７に嵌着した軸受４４にこのボス４３ｂを回転自在に嵌合している。このボス４３ｂの端面に接するようにスラストカラー４５がボス４３ｂの外周に嵌合し、このスラストカラー４５に接する軸用止め輪４６がボス４３ｂの円筒形外周に設けた周方向の溝に嵌入している。そしてつば３９ｂ１と大ギア４３間において圧縮コイルばね６８が圧縮してスプライン軸３９ｂに挿入されている。なおスプライン軸３９ｂを角軸、キー付軸等とし、これらの角軸、キー付軸がボス４３ｂに軸方向移動自在に嵌合するようにしてもよい。
【手続補正４５】
【補正対象書類名】明細書
【補正対象項目名】０２４３
【補正方法】変更
【補正の内容】
【０２４３】
図４２において開閉部材３５が閉じると外カム６３は前進可能となり、カップリング凹軸３９ｂはつば３９ｂ１が圧縮コイルばね６８のばね力で押されて側板６６、ボス４３ｂの夫々の穴中を滑動して前進し、凹部３９ａと凸部３７ａと嵌合する。モータ６１から大ギア４３へ回転が伝えられると、大ギア４３はスプライン軸３９ｂ２からカップリング凹軸３９ｂへ回転を伝え、これによって凹部３９ａは回転し、凸部３７ａを引き込み乍ら回転して感光体ドラム７の軸方向位置が決まる。
【手続補正４６】
【補正対象書類名】明細書
【補正対象項目名】０２４４
【補正方法】変更
【補正の内容】
【０２４４】
上述ではモータ６１からギア列でカップリング凹軸３９ｂを駆動したが、カップリング凹軸３９ｂの駆動方法は制約はなく、図４３に示すようにカップリング凹軸３９ｂと一体のタイミングプーリ４７を用い、このタイミングプーリ４７ａとモータ６１のモータ軸に設けた不図示のタイミングプーリ間にタイミングベルト４７ａを巻掛けてもよい。
【手続補正４７】
【補正対象書類名】明細書
【補正対象項目名】０２４５
【補正方法】変更
【補正の内容】
【０２４５】
同様に図４４に示すように、カップリング凹軸３９ｂと一体に設けたチェンホイル４８とモータ６１のモータ軸に設けた不図示のチェンホイル間にチェン４８ａを掛けてもよい。
【手続補正４８】
【補正対象書類名】明細書
【補正対象項目名】０２５１
【補正方法】変更
【補正の内容】
【０２５１】
実施の形態では凸部３７ａを多角柱としたが、図４５に示すように凸軸３７の中心に支持軸３７ａ５を設け、この先端部に、ねじれていない板状、例えば三角形の板７ａ４を設け、これを凹部３９ａのねじれた三角形の穴と係合するようにしてもよい。
【手続補正４９】
【補正対象書類名】明細書
【補正対象項目名】図面の簡単な説明
【補正方法】変更
【補正の内容】
【図面の簡単な説明】
図面は何れも本発明の実施の形態を示し、
【図１】
電子写真画像形成装置の縦断面図である。
【図２】
図１に示した装置の外観斜視図である。
【図３】
プロセスカートリッジの縦断面図である。
【図４】
図３に示したプロセスカートリッジの右側上方から見た外観斜視図である。
【図５】
図３に示したプロセスカートリッジの右側面図である。
【図６】
図３に示したプロセスカートリッジの左側面図である。
【図７】
図３に示したプロセスカートリッジの左側上方から見た外観斜視図である。
【図８】
図３に示したプロセスカートリッジを左下側を示すための外観斜視図である。    
【図９】
装置本体のプロセスカートリッジの装着部の外観斜視図である。
【図１０】
装置本体のプロセスカートリッジの装着部の外観斜視図である。
【図１１】
感光体ドラム及びその駆動装置の縦断面図である。
【図１２】
クリーニングユニットの斜視図である。
【図１３】
現像ユニットの斜視図である。
【図１４】
現像ユニットの一部分解斜視図である。
【図１５】
現像ホルダの背部を見る斜視図である。
【図１６】
現像枠体の側板及びトナー枠体の側面図である。
【図１７】
図１５の現像ホルダ部の内部側から外部側へ向って見る側面図である。
【図１８】
現像ローラ軸受箱の斜視図である。
【図１９】
現像枠体の斜視図である。
【図２０】
トナー枠体の斜視図である。
【図２１】
トナー枠体の斜視図である。
【図２２】
図２１のトナーシール部の縦断面図である。
【図２３】
帯電ローラ部の支持装置を示す縦断面図である。
【図２４】
電子写真画像形成装置本体の駆動系を示す略縦断面図である。
【図２５】
装置本体に設けられたカップリングとプロセスカートリッジに設けられたカップリングの斜視図である。
【図２６】
装置本体に設けられたカップリングとプロセスカートリッジに設けられたカップリングの斜視図である。
【図２７】
装置本体の開閉部材とカップリング部の構成を表す断面図である。
【図２８】
装置本体のプロセスカートリッジ駆動時のカップリング凹軸周りの構成を表す正面図である。
【図２９】
装置本体のプロセスカートリッジ着脱時のカップリング凹軸周りの構成を表す正面図である。
【図３０】
装置本体へのプロセスカートリッジ着脱時の電気接点関係を示す縦断面図である。
【図３１】
圧縮コイルばねの取付部を示す側面図である。
【図３２】
ドラム枠体と現像枠体の結合部を示す縦断面図である。
【図３３】
感光体ドラムのクリーニング枠体への取付部を示す斜視図である。
【図３４】
ドラム軸受部を示す縦断面図である。
【図３５】
ドラム軸受部の外部の形状を示す側面図である。
【図３６】
ドラム軸受部の他の実施の形態を示す展開断面図である。
【図３７】
ドラム軸受部を模式的に示す斜視図である。
【図３８】
プロセスカートリッジにおける発生スラストの関係を示す展開図である。
【図３９】
トナー枠体の開口部を示す他の実施の形態の斜視図である。
【図４０】
感光体ドラムとカートリッジ枠体をカートリッジ装着部と軸継手の長手方向の関係を模式的に示す平面図である。
【図４１】
感光体ドラムとカートリッジ枠体をカートリッジ装着部と軸継手の長手方向の関係を模式的に示す平面図である。
【図４２】
装置本体のカップリング凹軸の支持を示す一部断面で示す側面図である。
【図４３】
カップリング凹軸を駆動する回転体を説明するための側面図である。
【図４４】
カップリング凹軸を駆動する回転体を説明するための側面図である。
【図４５】
軸継手の他の実施の形態を示す斜視図である。
【符号の説明】
１…光学系  １ａ…レーザーダイオード  １ｂ…ポリゴンミラー  １ｃ…レンズ  １ｄ…反射ミラー  １ｅ…露光開口部
２…記録媒体
３…搬送手段  ３ａ…給紙カセット  ３ｂ…ピックアップローラ  ３ｃ…搬送ローラ対  ３ｄ…搬送ローラ対  ３ｅ…レジストローラ対  ３ｆ…搬送ガイド  ３ｇ，３ｈ，３ｉ…排出ローラ対  ３ｊ…反転経路  ３ｋ…フラッパ  ３ｍ…排出ローラ対
４…転写ローラ
５…定着手段  ５ａ…ヒータ  ５ｂ…定着ローラ  ５ｃ…駆動ローラ
６…排出トレイ
７…感光体ドラム  ７ａ…ドラム軸  ７ａ１…端面  ７ａ２…拡径部  ７ｂ…ドラムギア  ７ｂ１…側端  ７ｄ…ドラム筒  ７ｄ１…内面  ７ｅ…感光層  ７ｆ…アース板  ７ｎ…平歯ギア
８…帯電ローラ  ８ａ…帯電ローラ軸  ８ｂ…複合ばね  ８ｂ１…圧縮コイルばね  ８ｂ２…内部接点  ８ｃ…帯電ローラ軸受
９…現像手段  ９ｂ…トナー送り部材  ９ｂ１…ジャーナル  ９ｃ…現像ローラ  ９ｄ…現像ブレード  ９ｄ１…板金  ９ｄ１ａ…曲げ部  ９ｄ２…ウレタンゴム  ９ｄ３…穴  ９ｄ４…ねじ穴  ９ｄ５…切り込み  ９ｄ６…小ねじ  ９ｅ…トナー撹拌部材  ９ｆ…軸受  ９ｆ１…キー部  ９ｇ…マグネット  ９ｇ１…欠円形軸  ９ｈ…アンテナ棒  ９ｈ１…接点  ９ｉ…スペーサコロ  ９ｊ…現像ローラ軸受  ９ｊ１…穴  ９ｊ４…軸受  ９ｋ…現像ローラギア  ９ｌ（エル）…現像コイルバネ接点  ９ｍ…トナー攪拌ギア  ９ｐ…フランジ  ９ｐ１…現像ローラギア取付軸部  ９ｑ…ギア  ９ｑ１…小ギア  ９ｒ…大ギア  ９ｒ１…小ギア  ９ｓ…トナー送りギア  ９ｓ１…軸継手部  ９ｓ２…小ギア  ９ｕ…はす歯ギア  ９ｖ…軸受箱  ９ｖ１…円筒形突部  ９ｖ２…ねじ穴  ９ｖ３…マグネット支持穴  ９ｖ４…軸受嵌合穴  ９ｖ５…キー溝  ９ｖ６…凹部  ９ｖ７…切り欠き  ９ｖ８…支持部  ９ｖ９…ダボ  ９ｗ…ジャーナル  ９ｗ１…縮径円筒部
１０…クリーニング手段  １０ａ…クリーニングブレード  １０ｂ…廃トナー溜め
１１…トナー枠体  １１Ａ…トナー容器  １１ａ…上方枠体  １１ａ１…フランジ  １１ｂ…下方枠体  １１ｂ１…フランジ  １１ｃ…リブ  １１ｄ…トナー充填口  １１ｅ…カップリング部材  １１ｅ１…穴  １１ｆ…トナーキャップ  １１ｇ…凹形部  １１ｈ…ボス  １１ｉ…開口部  １１Ｊ…トナーユニット  １１ｊ，１１ｊ１…フランジ  １１ｋ…凹面  １１ｍ…段部  １１ｎ…条溝  １１ｎ１…縁  １１ｎ２…底  １１ｑ…角穴  １１ｒ…丸穴  １１ｔ…把手部材  １１ｖ…突条
１２…現像枠体  １２Ａ，１２Ｂ…側板  １２ｂ…貫通穴  １２ｃ…めねじ  １２ｄ…ダボ  １２ｅ…フランジ  １２ｆ…スリット  １２ｇ…穴  １２ｈ…下あご部１２ｉ…平面  １２ｉ１…ダボ  １２ｉ２…めねじ  １２ｉ３…突起  １２ｊ…円弧面  １２ｋ…ばね固定部  １２ｍ…穴部  １２ｎ…ばねガイド部  １２ｐ…開口部  １２ｓ，１２ｓ１，１２ｓ２…シール部材  １２ｔ…ばね保持部  １２ｕ…平面  １２ｖ…突条  １２ｖ１…三角突条  １２ｗ１…円筒形ダボ  １２ｗ２…角形ダボ  １２ｘ…穴  １２ｚ…突条
１３…クリーニング枠体（ドラム枠体）  １３ａ…円筒形ガイド  １３ａＲ１…フランジ  １３ａＲ２…小ねじ  １３ａＲ３…円板部材  １３ａＲ４…内径ガイド部  １３ａＲ５…拘束内周面  １３ａＲ，１３ａＬ…円筒形ガイド  １３ｂＲ，１３ｂＬ…回り止めガイド  １３ｃ…位置決めピン  １３ｄ…小ねじ  １３ｅ…取付穴  １３ｆ…規制当接部  １３ｇ…ガイド溝  １３ｈ…取付穴  １３ｈ１…欠円部  １３ｈ２…位置決めピン  １３ｈ３…リブ  １３ｈ４…拘束ボス  １３ｉ…上面  １３ｊ…規制当接部  １３ｋ…側端  １３ｋ１…穴  １３Ｌ…ガイド部材  １３ｎ…転写開口部  １３ｐ…右側端  １３ｑ…左側端  １３Ｒ…ガイド部材  １３ｓ…外壁  １３ｔ…仕切壁
１４…画像形成装置本体
１６…ガイド部材  １６ａ…ガイド部  １６ｂ…位置決め溝  １６ｃ…ガイド部  １６ｄ…位置決め溝  １６Ｒ，１６Ｌ…ガイド部材
１７…凹部
１８…ドラムシャッタ部材  １８ａ…シャッターカバー  １８ｂ，１８ｃ…リンク  １８ｃ１…突出部
１９…アーム部  １９ａ…先端
２０…回動穴  ２０ａ…内面  ２０ａ１…傾斜部  ２０ａ２…ばね座部
２１…凹部  ２１ａ…底
２２…結合部材  ２２ａ…圧縮コイルばね
２５…固設部材
２９…フランジ
３５…開閉部材  ３５ａ…支点
３６…ドラムフランジ  ３６ｂ…嵌合部
３７…カップリング凸軸  ３７ａ，３７ａ１…凸部端部
３８…軸受  ３８ａ…凸部  ３８ｂ…内側端面
３９…ギア  ３９ａ…凹部  ３９ａ１…底  ３９ｂ…カップリング凹軸
４０…現像ホルダ  ４０ａ…支持穴  ４０ｂ，４０ｃ，４０ｄ，４０ｅ…ダボ  ４０ｆ…突起
４３…大ギア
５１…カバーフィルム
５２…引抜き用テアテープ  ５２ａ…端部  ５２ｂ…一端
５４…弾性シール材
５５…テープ
５６…弾性シール材
６１…モータ  ６１ａ…軸
６２…小ギア
６３…外カム  ６３ａ…アーム
６４…内カム
６５…リンク  ６５ａ，６５ｂ…ピン
６６…側板
６７…側板
６８…圧縮コイルばね
６９…側板
１１９…アース接点  
１２０…帯電バイアス接点  １２０ａ…外部露出部  １２０ｂ…ばね座
１２１…現像バイアス接点  １２１ａ…導出部  １２１ｂ…第２の導出部  １２１ｃ…第３の導出部  １２１ｄ…第４の導出部  １２１ｅ…外部接点部  １２１ｆ…止め穴
１２２…トナー残量検出接点
１２３…アース接点部材
１２４…帯電接点部材
１２５…現像バイアス接点部材
１２６…トナー検出接点部材
１２７…ホルダ
１２８…電気基板
１２９…圧縮コイルばね
Ａ…レーザービームプリンタ（画像形成装置）
Ｂ…プロセスカートリッジ
Ｃ…クリーニングユニット
Ｄ…現像ユニット  ＤＧ…現像部駆動伝達ユニット
Ｇ…現像ローラユニット
ＧＴ…歯車列
Ｊ…トナーユニット
ＪＰ…結合面
Ｌ，Ｋ…斜面
Ｓ…カートリッジ装着スペース
Ｚ…水平線
ｍ…線
ｇ…隙間
【手続補正５０】
【補正対象書類名】図面
【補正対象項目名】図４１
【補正方法】変更
【補正の内容】
【図４１】
1998105024.tif 000001
【手続補正５１】
【補正対象書類名】図面
【補正対象項目名】図４２
【補正方法】変更
【補正の内容】
【図４２】
1998105024.tif 000002
【手続補正５２】
【補正対象書類名】図面
【補正対象項目名】図４３
【補正方法】変更
【補正の内容】
【図４３】
1998105024.tif 000003
【手続補正５３】
【補正対象書類名】図面
【補正対象項目名】図４４
【補正方法】変更
【補正の内容】
【図４４】
1998105024.tif 000004
【手続補正５４】
【補正対象書類名】図面
【補正対象項目名】図４５
【補正方法】変更
【補正の内容】
【図４５】
1998105024.tif 000005